(57)【要約】 【課題】内部に水通路部を含んだ機能ユニットを浴室内に設置した浴室において、浴室外の外気と連通する連通ホースを設け、浴室内の高湿度によって機能ユニット内の機器への影響を防止するとともに、機能ユニット内の漏水が浴室外に漏れ出ることを防止する。【解決手段】浴室は、内部に水通路部を含んだ機能ユニット３を備え、機能ユニット３内の空気層と、浴室外の空気層とを連通させる連通ホース３０が接続されており、連通ホース３０内に機能ユニット３の水通路部からの漏水が、浴室外へ排出されることを防止するための逆止弁ボールを備えた漏水防止弁を備え、この漏水防止弁は連通ホース３０が水平方向に維持されるように取り付けられている機能ユニット３に接続される接続部の近傍位置に位置している。【選択図】図１
2008307160.tif 000002
【特許請求の範囲】
【請求項１】
内部に水通路部を含んだ機能ユニットを備えた浴室であって、機能ユニット内の空気層と、浴室外の空気層とを連通させる連通ホースが接続されており、連通ホース内に機能ユニットの水通路部からの漏水が、浴室外へ排出されることを防止するための漏水防止弁を備えていることを特徴とする浴室。
【請求項２】
請求項１記載の浴室であって、漏水防止弁は連通ホースが機能ユニットに接続される接続部の近傍位置に位置していることを特徴とする浴室。
【請求項３】
請求項１または２記載の浴室であって、漏水防止弁は一方向の水の流れを閉止する逆止弁ボールを備えているとともに、連通ホースが水平方向に維持されるように取り付けられていることを特徴とする浴室。
【請求項４】
請求項１から３のいずれかに記載の浴室であって、機能ユニットは浴槽洗浄のための浴槽洗浄ユニットであることを特徴とする浴室。
【発明の詳細な説明】
【技術分野】
【０００１】
本発明は、浴室に関し、内部に水通路部を含んだ機能ユニットを浴室内に設置し、機能ユニットと浴室外の外気と連通する連通ホースを設けるとともに、連通ホース内に漏水を防ぐ漏水防止弁を設けた浴室に関する。
【背景技術】
【０００２】
浴槽の底面に洗浄ノズルを設けて、浴槽内面に洗浄水を噴射する浴槽続浄装置は、従来、知られているが、洗浄ノズルに洗浄水を供給する機能ユニットは、通常、浴槽に近接して設置される。
【０００３】
浴室内は入浴やシャワー等で相対湿度１００％となるが、上記機能ユニット等の浴室内へ設置する機器が高湿度の空気を吸気すると、故障等の一因となる。浴室内へ設置する機器の防湿対策として、従来、防水リモコンのように完全防水仕様とする構成が知られている。例えば、浴室の洗浄装置において、機能部を防水ケースに収容し、内部に逆止弁を設けたものが知られている（特許文献１参照）。
【０００４】
また、浴室内へ設置する機器の防湿のための他の対策として、シャワーリモコン等では、リモコン内の熱膨張等で設置雰囲気の高湿度の空気を吸い込まないように、ステーパイプを通じて浴室外（屋外）と連通し、浴室外の空気を吸わせている構成が知られている。
【０００５】
その他、浴槽において、吸気管の途中に逆流防止弁を設けたものが知られている（特許文献２参照）。さらに、逆流を防止するためのボール弁の構造は知られている（特許文献１、２参照）。
【特許文献１】特開平１０−３２８０６０号公報
【特許文献２】実開平５−０７０５３８号公報
【特許文献３】特開昭５９−１１３３７４号公報
【特許文献４】実開平２−１３８２８７号公報
【発明の開示】
【発明が解決しようとする課題】
【０００６】
従来は、洗浄ノズルに洗浄水を供給する機能ユニットでは、パッキンを介して機能ユニットのケースを蓋で水密的に封止していたが、機能ユニット内の湿度を積極的に下げて維持するという点では十分ではなかった。
【０００７】
本発明は、従来の問題点を解決することを目的とし、機能ユニット内の防湿のために設けられた機能ユニットと浴室外の外気とを連通ホースで連通する構成において、機能ユニット内で万が一漏水が発生した場合、連通ホースから浴室外へこの漏水が流れ出すという問題が生じることに対し、本発明は浴室において、機能ユニットからの漏水が連通ホースから流れ出すことを防止する構成を実現しようとすることを課題とするものである。
【課題を解決するための手段】
【０００８】
本発明は上記課題を解決するために、内部に水通路部を含んだ機能ユニットを備えた浴室であって、機能ユニット内の空気層と、浴室外の空気層とを連通させる連通ホースが接続されており、連通ホース内に機能ユニットの水通路部からの漏水が、浴室外へ排出されることを防止するための漏水防止弁を備えていることを特徴とする浴室を提供する。
【０００９】
漏水防止弁は連通ホースが機能ユニットに接続される接続部の近傍位置に位置していることが好ましい。
【００１０】
漏水防止弁は一方向の水の流れを閉止する逆止弁ボールを備えているとともに、連通ホースが水平方向に維持されるように取り付けられていることが好ましい。
【００１１】
機能ユニットは浴槽洗浄のための浴槽洗浄ユニットであることが好ましい。
【発明の効果】
【００１２】
本発明の浴室によれば、連通ホースへ漏水防止弁を設けたので、機能ユニット内に漏水が発生した場合に、漏水防止弁にて止水して浴室外への漏水を防止することができ、浴室外への漏水等の二次災害を防止することができる。
【発明を実施するための最良の形態】
【００１３】
本発明の浴室を実施するための最良の形態を実施例に基づき図面を参照して、以下説明する。
【実施例】
【００１４】
図１は、本発明の浴室における浴槽洗浄装置の配管を含む配管系統の全体構成を説明する斜視図であり、図２は、洗浄ノズルに洗浄水を供給する機能ユニットを中心とした全体構成を説明するブロック図である。
【００１５】
図１及び図２に示すように、本発明の浴室における浴槽洗浄装置は、浴槽１に取り付けられる洗浄ノズル２と、洗浄ノズル２に洗浄水を供給する浴槽洗浄のための浴槽洗浄ユニットである機能ユニット３と、機能ユニット３に洗剤を供給する洗剤供給部である洗剤供給タンク４と、機能ユニット３に湯水を供給する湯水供給部５とを備えている。
【００１６】
湯水供給部５は、水を加熱し湯水として供給する装置であり、通常は、浴槽１、水栓６、台所等に給湯する給湯器が使用される。この湯水供給部５には、水道管７から水道水が供給され、また追い焚き用の配管８を通して浴槽１からの湯水も供給され、加熱されて浴槽用供給管９から浴槽１に湯水が供給される。湯水供給部５は、洗浄リモコン１０、浴室リモコン１１、台所リモコン１２等の操作によって、制御される。
【００１７】
湯水供給部５から湯水供給管５’を通して機能ユニット３及び水栓６に湯水を供給する。洗浄ノズル２は、浴槽１の内面に向けて洗浄水を噴射するノズルであり、洗浄水供給管１３を介して機能ユニット３のベンチュリ１４に接続されている。
【００１８】
機能ユニット３は、ケース１５を備えており、ケース１５は、パッキンを介して蓋１６（図１参照）で水密的に封止されている。図３は、機能ユニット３のケース１５の内部の構成を示す正面図である。図１〜図３を参照して、機能ユニット３を説明する。
【００１９】
図２及び図３に示すように、機能ユニット３は、水通路部１７を有しており、この水通路部１７に、順次、フィルタ１８、水量サーボ弁１９、流量センサ２０、注湯電磁弁２１、逆止弁２２、２つの縁切り弁２３、２３、逆止弁２４及びベンチュリ１４が配置されている。また、機能ユニット３は、ベンチュリ１４に連通する洗剤電磁弁２５を備えている。
【００２０】
水通路部１７に設けられた各機器は、制御装置２６で制御される。制御装置２６からの洗浄開始信号が注湯電磁弁２１に送られると注湯電磁弁２１が開き、湯水供給部５から湯水水供給管５’を通して、機能ユニット３内に湯水が送られる。機能ユニット３のフィルタ１８は、湯水供給部５から出湯された湯水を受けてろ過し、流量センサ２０が湯水の瞬間的な流量（流量／時間）を計量して計量信号を制御装置２６に送信する。
【００２１】
制御装置２６は、その計量値を水量サーボ弁１９に送信し、水量サーボ弁１９はその計量値に応じて適宜、弁の開閉度合いを制御し、洗浄ノズル２が噴射するに適した流量となるように刻々と制御する。２つの逆止弁２２、２４は洗浄水の逆流を防止し、縁切り弁２３、２３は、逆止弁２２、２４で止水された洗浄水を水通路部１７から機能ユニット３外に排水管２３’、２３’を通して排出する。
【００２２】
洗剤供給タンク４は、洗剤液を入れるタンクであり、洗剤液の充填状態は、フロートスイッチ２７で検知されており、充填量が少なくなったらその検知信号を制御装置２６に送信し、制御装置２６で洗剤切れ信号を発生するように構成されている。
【００２３】
制御装置２６は、洗浄リモコン１０で操作されるが、この操作に応じて、浴槽１の洗浄のために注湯電磁弁２１が開き、洗浄水である湯水を洗浄ノズル２に一定量供給する。制御装置２６は、注湯電磁弁２１が開いている間、洗剤電磁弁２５を開くように制御し、洗剤液を洗剤供給管４５を通してベンチュリ１４に供給する。ベンチュリ１４に供給された洗剤液は、ベンチュリ１４を通過する湯水に混入される。これによって、洗剤入りの洗浄水が調製されて洗浄ノズル２に供給される。
【００２４】
本発明の浴室の全体構成は、以上のとおりであるが、本発明の浴室の特徴的構成を以下さらに説明する。
【００２５】
機能ユニット３は、図４に示すように、浴槽フランジ２８の下方であり洗い場２９近くに設置されるので、浴室の高湿度の影響を受けたりする。そこで、図１、図３〜５に示すように、機能ユニット３内の空気層と浴室外とを連通するための連通ホース３０が配設されている。なお、機能ユニット３内の「空気層」とは、ケース１５内の空間１５’（水通路部１７のフィルタ１８を除く水量サーボ弁１９等の機器が収納されているケース１５内の単なる空間）を言うのであり、特に空気タンクを設けたというような特別な意味ではない。
【００２６】
図３、図５（ａ）、（ｂ）に示すように、連通ホース３０は、その一端は、機能ユニット３のケース１５の側壁３１に貫通して取り付けられた取り付け栓３２に嵌合され、その他端は、浴室壁に形成された電装ケーブル用の貫通孔４４（図１参照）を通して浴室外に延びている。取り付け栓３２のケース１５側の開口は、ケース１５内の空気層に連通している。要するに、ケース１５内の空間１５’に面している。
【００２７】
図５に示すように、連通ホース３０内には、漏水防止弁３３が装着されている。この装着位置は、連通ホース３０が機能ユニット３に接続される接続部の機能ユニット３の近傍であり、具体的には、取り付け栓３２のケース１５と反対側の開口に隣接している。この位置に装着されることで、機能ユニットに連通ホースを接続する際に、漏水防止弁が取り付けられているか、あるいは逆向きに取り付けられていないか等、確認しやすいという効果がある。
【００２８】
図５（ｃ）、（ｄ）は、漏水防止弁３３の構造を示す。漏水防止弁３３は、円筒体から成る漏水防止弁本体３４と、漏水防止弁本体３４の一端開口３５に圧入、螺着又は嵌着されたフランジ筒３６と、逆止弁ボール３７とから構成されている。
【００２９】
漏水防止弁本体３４には、その円筒孔３８から他端開口３９に向けて縮径するテーパ面４０が形成されている。円筒孔３８には逆止弁ボール３７が装入されている。逆止弁ボール３７は、水流により押されて移動する程度の重量を有する。フランジ筒３６は漏水防止弁本体３４に嵌合する筒部４１を有し、筒部４１の内端にはフランジ筒３６の通孔４２に連通する切り欠き孔４３が形成されている。
【００３０】
漏水防止弁３３の一端側（フランジ筒３６側）は、機能ユニット３の取り付け栓３２側に向けられ、他端開口３９側は、連通ホース３０における浴室外の方向に向けられている。連通ホース３０を通して他端開口３９から円筒孔３８内に流入する浴室外からの空気は、図５（ｅ）に示すように、逆止弁ボール３７と円筒孔３８の隙間から、切り欠き孔４３、フランジ筒３６の通孔４２、取り付け栓３２を通過して機能ユニット３のケース１５内の空間１５’に流入する。この場合、仮に空気の流れで逆止弁ボール３７を図５（ｅ）に示すように同図中左方向に押して移動しても、切り欠き孔４３から空気は流通するので、封止されることはない。
【００３１】
これとは逆に、機能ユニット３内の湿気は、漏水防止弁３３の通孔４２から他端開口３９を通過して浴室外に自然に排出される。即ち、逆止弁ボール３７を移動させない程度の湿気が自然に排気する程度では、漏水防止弁３３は封止されることはない。しかしながら、漏水防止弁３３のフランジ筒３６側から円筒孔３８内に流入する水は、図５（ｆ）に示すように、逆止弁ボール３７を同図中右方向に押して移動させてテーパ面４０に嵌るようにして他端開口３９を封止するので、連通ホース３０を通して浴室側には流れ出ない。
【００３２】
また、取り付け栓３２は機能ユニット３から水平方向に突出しており、連通ホースが接続される接続部の近傍位置では連通ホースが水平方向に維持されているので、漏水防止弁３３が水平方向に維持されて取り付けられている。したがって、漏水防止弁３３の逆止弁ボール３７が重力の影響を受けずに、動作することが可能である。
【００３３】
（作用）
以上の構成の本発明の浴室の作用を浴槽洗浄装置を中心に以下に説明する。浴槽１の洗浄時には、洗浄リモコン１０で操作された制御装置２６によって、注湯電磁弁２１が開くと、湯水供給部５から洗浄水である湯水を機能ユニット３の水通路部１７を通して洗浄ノズル２に供給する。
【００３４】
機能ユニット３の水通路部１７では、湯水の瞬間的な供給流量（供給流量／時間）を流量センサ２０で計量し、その計量値に基づき、制御装置２６が水量サーボ弁１９の開閉を制御し刻々と供給流量を調整し、さらに、ベンチェリ１４で洗剤液を混合し、洗剤入り洗浄水として洗浄水供給管１３を通して洗浄ノズル２に送る。
【００３５】
通常は、漏水防止弁３３において、閉じられることがなく、機能ユニット３内の空間１５’と浴室外との間では、連通ホース３０で互いに空気が流通している。そのために、浴室内は高湿度であるが、機能ユニット３内の湿気は浴室外に自然に排除され、或いは浴室外の比較的湿度の低い空気が機能ユニット３内に流入し、機能ユニット３内は浴室外とほぼ同等の湿度に保たれて、浴室内のように高湿度とならない。
【００３６】
ところで、機能ユニット３の水通路部１７から何らかの原因で漏水が生じ、機能ユニット３内の空間１５’に水が溜まった場合には、連通ホース３０を通して浴室外に漏れ出ようとする。しかし、そのような場合でも、漏水防止弁３３において逆止弁ボール３７が他端開口３９を閉じて止水し、浴室外に機能ユニット３内の水が漏れ出るようなことを防止することができる。この結果、浴室外の浸水という二次災害を防止することができる。
【００３７】
なお、漏水防止弁３３により止水されて機能ユニット３内に漏水が充満してしまうが、機能ユニット３内の水圧が高まると、その水圧によってケース１５と蓋１６との隙間をこじ開けるようにして、機能ユニット３外に流出するので、機能ユニット３の破損等の問題は生じない。
【００３８】
以上、本発明に係る浴室を実施するための最良の形態を実施例に基づいて説明したが、本発明はこのような実施例に限定されるものではなく、特許請求の範囲に記載された技術的事項の範囲内でいろいろな実施例があることは言うまでもない。
【図面の簡単な説明】
【００３９】
【図１】本発明に係る浴室の実施例における浴槽洗浄装置の配管を含む配管系の全体構成を説明する斜視図及びその要部拡大図である。
【図２】本発明に係る浴室の実施例の浴槽洗浄装置の機能ユニットを中心とする全体構成を説明するブロック図である。
【図３】実施例の浴槽洗浄装置の機能ユニットを説明する正面図である。
【図４】実施例の浴槽洗浄装置を説明する斜視図である。
【図５】実施例の浴槽洗浄装置の漏水防止弁を説明する図であり、（ａ）、（ｂ）は取付状態を示す図であり、（ｃ）は漏水防止弁の長手方向の断面図であり、（ｄ）は（ａ）のＡ−Ａ断面図であり、（ｅ）、（ｆ）は漏水防止弁の作用を説明する図である。
【符号の説明】
【００４０】
１  浴槽                                             
２  洗浄ノズル                                       
３  機能ユニット                                     
４  洗剤供給タンク                                   
５  湯水供給部                                       
５’  湯水供給管
６  水栓                                             
７  水道管                                           
８  追い焚き用の配管                                 
９  浴槽用供給管                                     
１０  洗浄リモコン                                   
１１  浴室リモコン                                   
１２  台所リモコン                                   
１３  洗浄水供給管                                     
１４  ベンチュリ                                      
１５  機能ユニットのケース                            
１６  蓋                                                 
１７  機能ユニットの水通路部                          
１８  フィルタ                                        
１９  水量サーボ弁                                     
２０  流量センサ                                      
２１  注湯電磁弁                                      
２２、  ２４  逆止弁                                     
２３  縁切り弁
２３’  排水管                                        
２５  洗剤電磁弁                                      
２６  制御装置                                       
２７  フロートスイッチ                                     
２８  浴槽フランジ                                   
２９  洗い場                                         
３０  連通ホース                                     
３１  ケースの側壁                                   
３２  取り付け栓                                     
３３  漏水防止弁                                     
３４  漏水防止弁本体                                 
３５  漏水防止弁本体の一端開口                       
３６  フランジ筒                                     
３７  逆止弁ボール                                   
３８  漏水防止弁本体の円筒孔                         
３９  漏水防止弁本体の他端開口                       
４０  漏水防止弁本体のテーパ面                       
４１  フランジ筒の筒部                               
４２  フランジ筒の通孔                               
４３  フランジ筒の切り欠き孔
４４  貫通孔 
４６  洗剤供給管                          
【図１】
2008307160.tif 000003
【図２】
2008307160.tif 000004
【図３】
2008307160.tif 000005
【図４】
2008307160.tif 000006
【図５】
2008307160.tif 000007